(57)【要約】  アメリカ向け地上波ＤＴＶシステムであるＡＴＳＣ  ＶＳＢ方式の受信性能をアップするためにノーマルストリームとロバストストリームを含むデュアル伝送ストリーム内のロバストストリームに対してロバストデータ処理を施して性能アップを図るデジタル放送用伝送ストリームを簡単な構成でロバストに処理して送信するためのデジタル放送送信システム及びその信号処理方法を提供する。  本発明のデジタル放送送信システムは、エンコーディングされたデュアル伝送ストリームを得るためにノーマルストリーム及びターボストリームが備えられるデュアル伝送ストリームをエンコーディングするＲＳエンコーダ、インターリービングされたデュアル伝送ストリームを得るためにエンコーディングされたデュアル伝送ストリームをインターリービングするインターリーバ及び検出されたターボストリームを得るためにインターリービングされたデュアル伝送ストリームからターボストリームを検出し、エンコーディングされたターボストリームを得るために検出されたターボストリームをエンコーディングし、再構成されたデュアル伝送ストリームを得るためにエンコーディングされたターボストリームをインターリービングされたデュアル伝送ストリームにスタッフィングし、パリティが補償されたデュアル伝送ストリームを得るために再構成されたデュアル伝送ストリームをエンコーディングされたターボストリームによるパリティエラーを補償するターボ処理部とを含む。これにより、簡単な構成のシステムだけでノーマルストリーム及びターボストリームを含むデュアル伝送ストリームを伝送できる。
2009524942.tif 000002
【特許請求の範囲】
【請求項１】
エンコーディングされたデュアル伝送ストリームを得るためにノーマルストリーム及びターボストリームが備えられたデュアル伝送ストリームをエンコーディングするＲＳエンコーダと、
インターリービングされたデュアル伝送ストリームを得るために前記エンコーディングされたデュアル伝送ストリームをインターリービングするインターリーバと、
検出されたターボストリームを得るために前記インターリービングされたデュアル伝送ストリームから前記ターボストリームを検出し、エンコーディングされたターボストリームを得るために前記検出されターボストリームをエンコーディングし、再構成されたデュアル伝送ストリームを得るために前記エンコーディングされたターボストリームを前記インターリービングされたデュアル伝送ストリームにスタッフィングし、パリティが補償されたデュアル伝送ストリームを得るために前記再構成されたデュアル伝送ストリームを前記エンコーディングされたターボストリームによるパリティエラーを補償するターボ処理部とを含むことを特徴とするデジタル放送送信システム。
【請求項２】
ソースから前記ノーマルストリーム及び前記ターボストリームを受信し、前記デュアル伝送ストリームを得るために前記ノーマルストリーム及び前記ターボストリームをマルチプレクシングし、前記デュアル伝送ストリームを前記ＲＳエンコーダに出力する伝送ストリーム構成部をさらに含むことを特徴とする請求項１に記載のデジタル放送送信システム。
【請求項３】
前記伝送ストリーム構成部の出力から前記デュアル伝送ストリームを受信し、ランダム化されたデュアル伝送ストリームを得るために前記デュアル伝送ストリームをランダム化し、前記ランダム化されたデュアル伝送ストリームを前記ＲＳエンコーダに出力するランダム化部をさらに含むことを特徴とする請求項２に記載のデジタル放送送信システム。
【請求項４】
前記ターボ処理部は、
検出されたターボストリームを得るために前記インターリービングされたデュアル伝送ストリームから前記ターボストリームを検出するターボストリーム検出部と、
アウターエンコーディングされたターボストリームを得るために前記検出されたターボストリームに対するパリティを前記検出されたターボストリームのパリティ挿入領域に挿入してアウターエンコーディングするアウターエンコーダと、
アウターインターリービングされたターボストリームを得るために前記アウターエンコーディングされたターボストリームをアウターインターリービングするアウターインターリーバと、
前記再構成されたデュアル伝送ストリームを得るために前記アウターインターリービングされたターボストリームを前記インターリービングされたデュアル伝送ストリームにスタッフィングするターボストリームスタッファーと、
前記パリティが補償されたデュアル伝送ストリームを得るために前記再構成されたデュアル伝送ストリームに対するパリティを生成し、前記再構成されたデュアル伝送ストリームに対するパリティを前記再構成されたデュアル伝送ストリームに付加するパリティ補償部とを含むことを特徴とする請求項１に記載のデジタル放送送信システム。
【請求項５】
前記ターボ処理部は、
前記インターリーバから前記インターリービングされたデュアル伝送ストリームを受信し、シンボル基礎インターリービングされたデュアル伝送ストリームを得るために前記インターリービングされたデュアル伝送ストリームをバイト単位からシンボル単位に変換し、前記シンボル基礎インターリービングされたデュアル伝送ストリームを前記ターボストリーム検出部に伝送するバイト-シンボル変換部と、
前記パリティ補償部から前記パリティ補償されたデュアル伝送ストリームを受信し、バイト基礎パリティ補償されたデュアル伝送ストリームを得るために前記パリティ補償されたデュアル伝送ストリームをシンボル単位からバイト単位に変換し、前記バイト基礎パリティ補償されたデュアル伝送ストリームを出力するシンボル-バイト変換部とをさらに含むことを特徴とする請求項４に記載のデジタル放送送信システム。
【請求項６】
トレリスエンコーディングされたデュアル伝送ストリームを得るために前記パリティ補償されたデュアル伝送ストリームをトレリスエンコーディングするトレリスエンコーダをさらに含むことを特徴とする請求項１に記載のデジタル放送送信システム。
【請求項７】
前記トレリスエンコーディングされたデュアル伝送ストリームを送信する送信部をさらに含むことを特徴とする請求項６に記載のデジタル放送送信システム。
【請求項８】
前記送信部は、
同期を有するトレリスエンコーディングされたデュアル伝送ストリームを得るために前記トレリスエンコーディングされたデュアル伝送ストリームと同期信号をマルチプレクシングするマルチプレクサと、
同期及びパイロットを有するトレリスエンコーディングされたデュアル伝送ストリームを得るために前記同期信号を有するトレリスエンコーディングされたデュアル伝送ストリームにパイロットを挿入するパイロット挿入部と、
等化されたデュアル伝送ストリームを得るために前記同期及びパイロットを有するトレリスエンコーディングされたデュアル伝送ストリームを等化する事前等化部と、
ＶＳＢ変調されたデュアル伝送ストリームを得るために前記等化されたデュアル伝送ストリームをＶＳＢ変調するＶＳＢ変調部と、
前記ＶＳＢ変調されたデュアル伝送ストリームを伝送するためのＲＦチャネル帯域の信号を得るために前記ＶＳＢ変調されたデュアル伝送ストリームのＲＦ変調を行うＲＦ変調部とを含むことを特徴とする請求項７に記載のデジタル放送送信システム。
【請求項９】
前記デュアル伝送ストリームは、
それぞれ複数の連続するパケットを含む複数のフィールドを含み、
前記各々のフィールド上で予め設定された間隔毎に位置するパケットに前記ターボストリームが挿入されることを特徴とする請求項１に記載のデジタル放送送信システム。
【請求項１０】
前記ターボストリームは各々のフィールド上で全ての４パケットのうち一つのパケット内に挿入されたものであり、
前記ノーマルストリームは前記各々のフィールド上で全ての４パケットのうち３つのパケット内に挿入されたことを特徴とする請求項９に記載のデジタル放送送信システム。
【請求項１１】
前記ターボ処理部で行われる前記検出されたターボストリームのエンコーディングは、前記再構成されたデュアル伝送ストリームの前記ノーマルストリームをエラーなしに伝送できない劣悪なチャネルに前記再構成されたデュアル伝送チャネルの前記エンコーディングされたターボストリームをエラーなしに伝送できるロバストデータ処理であることを特徴とする請求項１に記載のデジタル放送送信システム。
【請求項１２】
前記劣悪なチャネルはドッフラフェージングチャネルであることを特徴とする請求項１１に記載のデジタル放送送信システム。
【請求項１３】
前記ターボ処理部で行われる前記検出されたターボストリームのエンコーディングは、前記再構成されたデュアル伝送チャネルの前記エンコーディングされたターボストリームを前記デュアル伝送チャネルの伝送ストリームがロバストデータ処理を行わず伝送された時のエラー率より低いエラー率で伝送可能なロバストデータ処理であることを特徴とする請求項１に記載のデジタル放送送信システム。
【請求項１４】
エンコーディングされたデュアル伝送ストリームを得るためにノーマルストリーム及びターボストリームが備えられたデュアル伝送ストリームをエンコーディングする段階と、
インターリービングされたデュアル伝送ストリームを得るために前記エンコーディングされたデュアル伝送ストリームをインターリービングする段階と、
検出されたターボストリームを得るために前記インターリービングされたデュアル伝送ストリームからターボストリームを検出する段階と、
エンコーディングされたターボストリームを得るために前記検出されたターボストリームをエンコーディングする段階と、
再構成されたデュアル伝送ストリームを得るために前記エンコーディングされたターボストリームを前記インターリービングされたデュアル伝送ストリームにスタッフィングする段階と、
パリティが補償されたデュアル伝送ストリームを得るために前記再構成されたデュアル伝送ストリームを前記エンコーディングされたターボストリームによるパリティエラーを補償する段階とを含むことを特徴とするデジタル放送送信信号処理方法。
【請求項１５】
前記ノーマルストリーム及び前記ターボストリームを受信する段階と、
前記デュアル伝送ストリームを得るために前記ノーマルストリームと前記ターボストリームをマルチプレクシングする段階とをさらに含むことを特徴とする請求項１４に記載のデジタル放送送信信号処理方法。
【請求項１６】
ランダム化されたデュアル伝送ストリームを得るために前記デュアル伝送ストリームをランダム化する段階をさらに含み、
前記デュアル伝送ストリームをエンコーディングする段階は、エンコーディングされたデュアル伝送ストリームを得るために前記ランダム化されたデュアル伝送ストリームをエンコーディングすることを特徴とする請求項１４に記載のデジタル放送送信信号処理方法。
【請求項１７】
前記検出されたターボストリームをエンコーディングする段階は、
アウターエンコーディングされたターボストリームを得るために前記検出されたターボストリームに対するパリティを前記検出されたターボストリームのパリティ挿入領域に挿入するアウターエンコーディング段階と、
アウターインターリービングされたターボストリームを得るために前記アウターエンコーディングされたターボストリームをアウターインターリービングする段階を含み、
前記エンコーディングされたターボストリームをスタッフィングする段階は、
前記再構成されたデュアル伝送ストリームを得るために前記アウターインターリービングされたターボストリームを前記インターリービングされたデュアル伝送ストリームにスタッフィングし、
前記再構成されたデュアル伝送ストリームを補償する段階は、
前記再構成されたデュアル伝送ストリームに対するパリティを生成する段階と、
前記パリティが補償されたデュアル伝送ストリームを得るために前記再構成されたデュアル伝送ストリームに対するパリティを前記デュアル伝送ストリームに付加する段階とを含むことを特徴とする請求項１４に記載のデジタル放送送信信号処理方法。
【請求項１８】
シンボル基礎インターリービングされたデュアル伝送ストリームを得るために前記インターリービングされたデュアル伝送ストリームをバイト単位からシンボル単位に変換する段階をさらに含み、
前記ターボストリームを検出する段階は、前記シンボル基礎インターリービングされたデュアル伝送ストリームからターボストリームを検出する段階を含み、
前記方法は、バイト基礎パリティ補償されたデュアル伝送ストリームを得るために前記パリティ補償されたデュアル伝送ストリームをシンボル単位からバイト単位に変換する段階をさらに含むことを特徴とする請求項１７に記載のデジタル放送送信信号処理方法。
【請求項１９】
トレリスエンコーディングされたデュアル伝送ストリームを得るために前記パリティ補償されたデュアル伝送ストリームをトレリスエンコーディングする段階と、
前記トレリスエンコーディングされたデュアル伝送ストリームを送信する段階とをさらに含むことを特徴とする請求項１４に記載のデジタル放送送信信号処理方法。
【請求項２０】
前記トレリスエンコーディングされたデュアル伝送ストリームを送信する段階は、
同期を有するトレリスエンコーディングされたデュアル伝送ストリームを得るために前記トレリスエンコーディングされたデュアル伝送ストリームに同期信号をマルチプレクシングする段階と、
同期及びパイロットを有するトレリスエンコーディングされたデュアル伝送ストリームを得るために前記同期信号を有するトレリスエンコーディングされたデュアル伝送ストリームにパイロットを挿入する段階と、
等化されたデュアル伝送ストリームを得るために前記同期及びパイロットを有するトレリスエンコーディングされたデュアル伝送ストリームを等化する段階と、
ＶＳＢ変調されたデュアル伝送ストリームを得るために前記等化されたデュアル伝送ストリームをＶＳＢ変調する段階と、
前記ＶＳＢ変調されたデュアル伝送ストリームを伝送するＲＦチャネル帯域の信号を得るために前記ＶＳＢ変調されたデュアル伝送ストリームのＲＦ変調を行う段階とを含むことを特徴とする請求項１９に記載のデジタル放送送信信号処理方法。
【請求項２１】
前記デュアル伝送ストリームは、
それぞれ複数の連続するパケットを有する複数のフィールドを含み、
前記各々のフィールド上で予め設定された間隔毎に位置するパケットに前記ターボストリームが挿入されることを特徴とする請求項１４に記載のデジタル放送送信信号処理方法。
【請求項２２】
前記ターボストリームは各々のフィールド上で全ての４パケットのうち一つのパケット内に挿入されたものであり、
前記ノーマルストリームは前記各々のフィールド上で全ての４パケットのうち３つのパケット内に挿入されたことを特徴とする請求項２１に記載のデジタル放送送信信号処理方法。
【請求項２３】
前記検出されたターボストリームのエンコーディングは前記再構成されたデュアル伝送ストリームの前記ノーマルストリームをエラーなしに伝送できない劣悪なチャネルに前記再構成されたデュアル伝送チャネルの前記エンコーディングされたターボストリームをエラーなしに伝送可能なロバストデータ処理であることを特徴とする請求項１４に記載のデジタル放送送信信号処理方法。
【請求項２４】
前記劣悪なチャネルはドッフラフェージングチャネルであることを特徴とする請求項２３に記載のデジタル放送送信信号処理方法。
【請求項２５】
前記検出されたターボストリームのエンコーディングは、前記再構成されたデュアル伝送チャネルの前記エンコーディングされたターボストリームを前記デュアル伝送チャネルの伝送ストリームがロバストデータ処理を行わず伝送された時のエラー率より低いエラー率で伝送可能なロバストデータ処理であることを特徴とする請求項１４に記載のデジタル放送送信信号処理方法。
【発明の詳細な説明】
【技術分野】
【０００１】
本発明はデジタル放送用伝送ストリームをロバストに処理して送信するデジタル放送送信システム及びその信号処理方法に係り、さらに詳しくはアメリカ向け地上波ＤＴＶシステムであるＡＴＳＣ(Advanced  Television  Systems  Committee)ＶＳＢ方式の受信性能をアップするためにノーマルストリーム及びロバストストリームを含むデュアル伝送ストリーム内のロバストストリームに対してロバストデータ処理を行って性能向上を図るデジタル放送用伝送ストリームを簡単な構成でロバストな処理を実行して送信するデジタル放送送信システム及びその信号処理方法に関する。
【背景技術】
【０００２】
アメリカ向け地上波デジタル放送システムであるＡＴＳＣ  ＶＳＢ方式はシングルキャリア方式であり、３１２データセグメント単位でフィールド同期信号(field  sync)が使われている。これによって本システムは劣悪なチャネル、特にドッフラフェージングチャネルで受信性能が不良である。
【０００３】
図１はフィリップス社で提案したＡＴＳＣ強化されたＶＳＢ  ＤＴＶシステムによるアメリカ向け地上波デジタル放送システムのデジタル放送送受信器の例を示すブロック図である。
【０００４】
前記標準の現在のバージョンは‘ATSCデジタルＴＶ標準A/53’(Revision  E、2005年12月27日、2006年4月18日付けにて１次補正、www.atsc.orgでダウン可能)である。以下、この標準はＡＴＳＣ標準A/53Eと称する。この標準に対する内容は参考文献として本願に含まれる。本システムは従来のＡＴＳＣ  ＶＳＢ  ＤＴＶシステムのノーマルストリーム(Normal  stream)にロバストストリーム(Robust  stream)を追加したデュアル伝送ストリーム(Dual  transport  stream)を形成して伝送する。
【０００５】
図１に示したように、デジタル放送送信器はデュアル伝送ストリームをランダム化させるランダム化部１１、伝送過程でチャネル特性によって発生するエラーを訂正するためにデュアル伝送ストリームにパリティバイトを追加する連接エンコーダ(Concatenated  encoder)形態であるリードソロモンエンコーダ(Reed-Solomon  encoder)１２、ＲＳエンコーディングされたデータを所定インターリービングパターンによってインターリービングを行うインターリーバ１３及びインターリービングされたデータに対して２/３比率でトレリスエンコーディングを行って８レベルデータシンボルにマッピングを行うトレリスエンコーダ(2/3  rate  trellis  encoder)１４を含む。ランダム化部１１から受信したデュアル伝送ストリームはＭＰＥＧ-２デュアル伝送ストリームであり、よって図１のデジタル放送送信器はＭＰＥＧ-２デュアル伝送ストリームに対してエラー訂正エンコーディングを行う。トレリスエンコーダ１４０はトレリスされたデータを８レベルデータシンボルにマッピングすることから、図１のデジタル放送送信器は８−ＶＳＢシステムである。
【０００６】
また、デジタル放送送信器はトレリスエンコーダ１４からのデータシンボルに対して図２に示された構成を有するＡＴＳＣ  ＶＳＢ  ＤＴＶデータフレームを得るためにフィールドシンク(field  Sync)とセグメントシンク(Segment  Sync)をマルチプレクシングする多重化部(MUX)１５及びフィールド同期信号がマルチプレクシングされたデータシンボルにパイロットを挿入し、所定のＤＣ値をデータシンボルに付加し、ＶＳＢ変調された信号を得るためにデータシンボルをパルス状のデータシンボルにＶＳＢ変調を行い、チャネルＶＳＢ変調された信号をＲＦチャネル帯域の信号に変換(up-converting)するＶＳＢ変調部１６を含む。
【０００７】
従って、図１のデジタル放送送信器のマルチプレクサ(図示せず)はノーマルストリームとロバストストリームを一つのチャネルに送信するデュアル伝送ストリームを得るためにノーマルストリームとロバストストリームがマルチプレクシングし、デュアル伝送ストリームはランダム化部１１に入力される。入力されたデータはランダム化部１１を介してデータランダム化し、ランダム化されたデータはアウターエンコーダ(Outer  encoder)であるリードソロモンエンコーダ１２を介してアウターエンコーディングされ、アウターエンコーディングされたデータは所定のインターリービングパターンによってインターリーバ１３を介してインターリービングされる。また、インターリービングされたデータは１２シンボル単位で内部エンコーディング(inner  encoding)され、トレリスエンコーディング部１４を介して８レベルシンボルでマッピングされる。フィールド同期信号とセグメント同期信号がトレリスエンコーディング部１４からのデータシンボルとマルチプレクシングされる。フィールド同期信号とセグメント同期信号がマルチプレクシングされたデータシンボルにパイロットがＶＳＢ変調部１６を介して挿入され、パイロットが挿入されたデータシンボルはＶＳＢ変調され、ＶＳＢ変調部１６を介してＲＦチャネル帯域の信号に変換され、ＲＦチャネル帯域信号は伝送される。図１のデジタル放送受信器はチャネルを介して受信されたＲＦチャネル帯域信号を基底信号に変換(down-converting)するチューナ(図示せず)、基底信号に対して同期検出及び復調を行うＶＳＢ復調部２１、復調された信号に対してマルチパスのようなチャネル歪みを補償する等化部２２、データシンボルを得るために等化された信号に対してエラーを訂正しデコーディングされたデータを得るためにデータシンボルをデコーディングするビタビデコーダ２３、デジタル放送送信器のインターリーバ１３によって所定のインターリービングパターンによってデコーディングされたデータをデインターリービングするデインターリーバ２４、デインターリービングされたデータ内のエラーを訂正するＲＳデコーダ２５、ＲＳデコーダ２５からのエラー訂正されたデータを逆ランダム化(derandomize)してＭＰＥＧ-２デュアル伝送ストリームを出力する逆ランダム化部２６を含む。
【０００８】
従って、図１のデジタル放送受信器は図１のデジタル放送送信器で行われた逆過程でＲＦチャネル帯域信号を基底帯域に変換(Down-converting)することによって、図１のデジタル放送送信器のランダム化部１１から入力された原信号にリカーバ(revover)し、基底帯域信号を復調及び等化した後基底帯域信号上でチャネルデコーディング動作を行う。
【０００９】
図２はアメリカ向け地上波デジタル放送システムで使用されるセグメント同期信号及びフィールド同期信号を有するＡＴＳＣ  ＶＳＢ  ＤＴＶデータフレームを示す。図２に示されたように、１つのフレームは２つのフィールドで構成され、１つのフィールドは１番目セグメントである１つのフィールド同期信号セグメント(field  sync  segment)と３１２個のデータセグメントで構成される。また、ＡＴＳＣ  ＶＳＢ  ＤＴＶデータフレーム内で１つのセグメントは一つのＭＰＥＧ-２パケットに対応し、１つのセグメントは４シンボルのセグメント同期信号と８２８個のデータシンボルで構成される。
【００１０】
図２において同期信号であるセグメント同期信号とフィールド同期信号は図１のデジタル放送受信器のＶＳＢ復調器２１及び等化器２２内の同期及び等化のために使用される。すなわちフィールド同期信号及びセグメント同期信号はデジタル放送送信器及びデジタル放送受信器の間において既に知られているデータであって、図１のデジタル放送受信器の等化器２２で等化を行う時基準信号(Reference  Signal)として使用される。
【００１１】
前述したように図１の地上波デジタル放送システムは、従来のＡＴＳＣ  ＶＳＢ  ＤＴＶシステムのノーマルストリームにロバストストリームをマルチプレクシングしてデュアル伝送ストリームを形成して伝送できるように構成された方式であって、従来のノーマルストリームにロバストストリームを共に伝送する。
【００１２】
しかし、図１の地上波デジタル放送システムはロバストストリームのマルチプレクシングによるデュアル伝送ストリーム伝送にも拘わらず既存のノーマルストリーム伝送によるマルチパスチャネルにおける劣悪な受信性能を改善する効果は殆どないとの問題点がある。
【００１３】
すなわち、デュアル伝送ストリームが伝送される時従来のノーマルストリームの改善による受信性能改善の効果が殆どないとの問題点がある。また、ロバストストリームに対してもマルチパス環境下で受信性能改善の効果がさほど高くないとの問題点があった。
【非特許文献１】「ATSCデジタルTV標準A/53」
【発明の開示】
【発明が解決しようとする課題】
【００１４】
本発明は前述したような従来の問題点を解決するために案出されたもので、その目的はアメリカ向け地上波ＤＴＶシステムであるＡＴＳＣ  ＶＳＢ  ＤＴＶ方式の受信性能をアップするためにノーマルストリームとロバストストリームを含むデュアル伝送ストリーム内のロバストストリーム上でロバストデータ処理を行う簡単な構成でロバストに処理して送信するためのデジタル放送送信システム及びその信号処理方法を提供するところにある。
【課題を解決するための手段】
【００１５】
前述した目的を達成するための本発明の一実施例によるデジタル放送送信システムは、エンコーディングされたデュアル伝送ストリームを得るためにノーマルストリーム及びターボストリームが備えられたデュアル伝送ストリームをエンコーディングするＲＳエンコーダ、インターリービングされたデュアル伝送ストリームを得るために前記エンコーディングされたデュアル伝送ストリームをインターリービングするインターリーバ、及び検出されたターボストリームを得るために前記インターリービングされたデュアル伝送ストリームから前記ターボストリームを検出し、エンコーディングされたターボストリームを得るために前記検出されたターボストリームをエンコーディングし、再構成されたデュアル伝送ストリームを得るために前記エンコーディングされたターボストリームを前記インターリービングされたデュアル伝送ストリームにスタッフィングし、パリティが補償されたデュアル伝送ストリームを得るために前記再構成されたデュアル伝送ストリームを前記エンコーディングされたターボストリームによるパリティエラーを補償するターボ処理部とを含む。
【００１６】
ソースから前記ノーマルストリーム及び前記ターボストリームを受信し、前記デュアル伝送ストリームを得るために前記ノーマルストリーム及び前記ターボストリームをマルチプレクシングし、前記デュアル伝送ストリームを前記ＲＳエンコーダに出力する伝送ストリーム構成部をさらに含める。
【００１７】
前記伝送ストリーム構成部の出力から前記デュアル伝送ストリームを受信し、ランダム化されたデュアル伝送ストリームを得るために前記デュアル伝送ストリームをランダム化し、前記ランダム化されたデュアル伝送ストリームを前記ＲＳエンコーダに出力するランダム化部をさらに含むことができる。
【００１８】
一方、前記ターボ処理部は、検出されたターボストリームを得るために前記インターリービングされたデュアル伝送ストリームから前記ターボストリームを検出するターボストリーム検出部と、アウターエンコーディングされたターボストリームを得るために前記検出されたターボストリームに対するパリティを前記検出されたターボストリームのパリティ挿入領域に挿入してアウターエンコーディングするアウターエンコーダ、アウターインターリービングされたターボストリームを得るために前記アウターエンコーディングされたターボストリームをアウターインターリービングするアウターインターリーバと、前記再構成された デュアル伝送ストリームを得るために前記アウターインターリービングされたターボストリームを前記インターリービングされたデュアル伝送ストリームにスタッフィングするターボストリームスタッファー、及び前記パリティが補償されたデュアル伝送ストリームを得るために前記再構成されたデュアル伝送ストリームに対するパリティを生成し、前記再構成されたデュアル伝送ストリームに対するパリティを前記再構成されたデュアル伝送ストリームに付加するパリティ補償部を含むことができる。
【００１９】
前記ターボ処理部は、前記インターリーバから前記インターリービングされたデュアル伝送ストリームを受信し、シンボル基礎インターリービングされたデュアル伝送ストリームを得るために前記インターリービングされたデュアル伝送ストリームをバイト単位からシンボル単位に変換し、前記シンボル基礎インターリービングされたデュアル伝送ストリームを前記ターボストリーム 検出部に伝送するバイト-シンボル変換部及び前記パリティ補償部から前記パリティ補償されたデュアル伝送ストリームを受信し、バイト基礎パリティ補償されたデュアル伝送ストリームを得るために前記パリティ補償されたデュアル伝送ストリームをシンボル単位からバイト単位に変換し、前記バイト基礎パリティ補償されたデュアル伝送ストリームを出力するシンボル−バイト変換部をさらに含むことができる。
【００２０】
一方、本デジタル放送送信システムは、トレリスエンコーディングされたデュアル伝送ストリームを得るために前記パリティ補償されたデュアル伝送ストリームをトレリスエンコーディングするトレリスエンコーダをさらに含むことができる。
【００２１】
前記トレリスエンコーディングされたデュアル伝送ストリームを送信する送信部をさらに含むことができる。
【００２２】
この場合、前記送信部は同期を有するトレリスエンコーディングされたデュアル伝送ストリームを得るために前記トレリスエンコーディングされたデュアル伝送ストリームと同期信号をマルチプレクシングするマルチプレクサ、同期及びパイロットを有するトレリスエンコーディングされたデュアル伝送ストリームを得るために前記同期信号を有するトレリスエンコーディングされたデュアル伝送ストリームにパイロットを挿入するパイロット挿入部、等化されたデュアル伝送ストリームを得るために前記同期及びパイロットを有するトレリスエンコーディングされたデュアル伝送ストリームを等化する事前等化部、ＶＳＢ変調されたデュアル伝送ストリームを得るために前記等化されたデュアル伝送ストリームをＶＳＢ変調するＶＳＢ変調部、及びＶＳＢ変調されたデュアル伝送ストリームを伝送するためのＲＦチャネル帯域の信号を得るために前記ＶＳＢ変調されたデュアル伝送ストリームのＲＦ変調を行うＲＦ変調部とを含むことができる。
【００２３】
前記デュアル伝送ストリームはそれぞれ複数の連続するパケットを含む複数のフィールドを含み、前記各々のフィールド上で予め設定された間隔毎に位置するパケットに前記ターボストリームが挿入される形態で具現できる。
【００２４】
この場合、前記ターボストリームは各々のフィールド上で全ての４パケットのうち一つのパケット内に挿入されたものであり、前記ノーマルストリームは前記各々のフィールド上で全ての４パケットのうち３つのパケット内に挿入される形態で具現できる。
【００２５】
前記ターボ処理部で行われる前記検出されたターボストリームのエンコーディングは、前記再構成されたデュアル伝送ストリームの前記ノーマルストリームをエラーなしに伝送できない劣悪なチャネルに前記再構成されたデュアル伝送チャネルの前記エンコーディングされたターボストリームをエラーなしに伝送可能なロバストデータ処理される形態で具現できる。
【００２６】
この場合、前記劣悪なチャネルはドッフラフェージングチャネル(Doppler  fading  channel)でありうる。
【００２７】
前記ターボ処理部で行われる前記検出されたターボストリームのエンコーディングは前記再構成されたデュアル伝送チャネルの前記エンコーディングされたターボストリームを前記デュアル伝送チャネルの伝送ストリームがロバストデータ処理を行わず伝送された時のエラー率より低いエラー率で伝送可能なロバストデータ処理される形態で具現できる。
【００２８】
一方、本発明の一実施例によるデジタル放送送信信号処理方法は、エンコーディングされたデュアル伝送ストリームを得るためにノーマルストリーム及びターボストリームが備えられたデュアル伝送ストリームをエンコーディングする段階と、インターリービングされたデュアル伝送ストリームを得るために前記エンコーディングされた デュアル伝送ストリームをインターリービングする段階と、検出されたターボストリームを得るために前記インターリービングされたデュアル伝送ストリームからターボストリームを検出する段階と、エンコーディングされたターボストリームを得るために前記検出されたターボストリームをエンコーディングする段階と、再構成されたデュアル伝送ストリームを得るために前記エンコーディングされたターボストリームを前記インターリービングされたデュアル伝送ストリームにスタッフィングする段階、及びパリティが補償されたデュアル伝送ストリームを得るために前記再構成されたデュアル伝送ストリームを前記エンコーディングされたターボストリームによるパリティエラーを補償する段階とを含む。
【００２９】
前記ノーマルストリーム及び前記ターボストリームを受信する段階、及び前記デュアル伝送ストリームを得るために前記ノーマルストリームと前記ターボストリームをマルチプレクシングする段階とをさらに含むことができる。
【００３０】
ランダム化されたデュアル伝送ストリームを得るために前記デュアル伝送ストリームをランダム化する段階をさらに含み、前記デュアル伝送ストリームをエンコーディングする段階は、エンコーディングされたデュアル伝送ストリームを得るために前記ランダム化されたデュアル伝送ストリームをエンコーディングする形態で具現できる。
【００３１】
一方、前記検出されたターボストリームをエンコーディングする段階は、アウターエンコーディングされたターボストリームを得るために前記検出されたターボストリームに対するパリティを前記検出されたターボストリームのパリティ挿入領域に挿入するアウターエンコーディング段階、及びアウターインターリービングされたターボストリームを得るために前記アウターエンコーディングされたターボストリームをアウターインターリービングする段階を含み、前記エンコーディングされたターボストリームをスタッフィングする段階は、前記再構成されたデュアル伝送ストリームを得るために前記アウターインターリービングされたターボストリームを前記インターリービングされたデュアル伝送ストリームにスタッフィングし、前記再構成されたデュアル伝送ストリームを補償する段階は、前記再構成されたデュアル伝送ストリームに対するパリティを生成する段階、及び前記パリティが補償されたデュアル伝送ストリームを得るために前記再構成されたデュアル伝送ストリームに対するパリティを前記デュアル伝送ストリームに付加する段階を含むことができる。
【００３２】
シンボル基礎インターリービングされたデュアル伝送ストリームを得るために前記インターリービングされたデュアル伝送ストリームをバイト単位からシンボル単位に変換する段階をさらに含み、前記ターボストリームを検出する段階は、前記シンボル基礎インターリービングされたデュアル伝送ストリームからターボストリームを検出する段階を含み、前記方法はバイト基礎パリティ補償されたデュアル伝送ストリームを得るために前記パリティ補償されたデュアル伝送ストリームをシンボル単位からバイト単位に変換する段階をさらに含むことができる。
【００３３】
一方、本デジタル放送送信信号処理方法は、トレリスエンコーディングされたデュアル伝送ストリームを得るために前記パリティ補償されたデュアル伝送ストリームをトレリスエンコーディングする段階、及び前記トレリスエンコーディングされたデュアル伝送ストリームを送信する段階とを含むことができる。
【００３４】
この場合、前記トレリスエンコーディングされたデュアル伝送ストリームを送信する段階は、同期を有するトレリスエンコーディングされたデュアル伝送ストリームを得るために前記トレリスエンコーディングされたデュアル伝送ストリームに同期信号をマルチプレクシングする段階と、同期及びパイロットを有するトレリスエンコーディングされたデュアル伝送ストリームを得るために前記同期信号を有するトレリスエンコーディングされたデュアル伝送ストリームにパイロットを挿入する段階、等化されたデュアル伝送ストリームを得るために前記同期及びパイロットを有するトレリスエンコーディングされたデュアル伝送ストリームを等化する段階と、ＶＳＢ変調されたデュアル伝送ストリームを得るために前記等化されたデュアル伝送ストリームをＶＳＢ変調する段階、及び前記ＶＳＢ変調された デュアル伝送ストリームを伝送するためのＲＦチャネル帯域の信号を得るために前記ＶＳＢ変調されたデュアル伝送ストリームのＲＦ変調を行う段階とを含むことができる。
【００３５】
一方、前記デュアル伝送ストリームは、それぞれ複数の連続するパケットを有する複数のフィールドを含み、前記各々のフィールド上で予め設定された間隔毎に位置するパケットに前記ターボストリームが挿入された形態で具現できる。
【００３６】
この場合、前記ターボストリームは各々のフィールド上で全ての４パケットのうち一つのパケット内に挿入されたものであり、前記ノーマルストリームは前記各々のフィールド上で全ての４パケットのうち３つのパケット内に挿入される形態で具現できる。
【００３７】
前記検出されたターボストリームのエンコーディングは、前記再構成されたデュアル伝送ストリームの前記ノーマルストリームをエラーなしに伝送できない劣悪なチャネルに前記再構成されたデュアル伝送チャネルの前記エンコーディングされたターボストリームをエラーなしに伝送可能なロバストデータ処理する形態で具現できる。
【００３８】
この場合、前記劣悪なチャネルはドッフラフェージングチャネルでありうる。
【００３９】
前記検出されたターボストリームのエンコーディングは前記再構成されたデュアル伝送チャネルの前記エンコーディングされたターボストリームを前記デュアル伝送チャネルの伝送ストリームがロバストデータ処理を行わず伝送された時のエラー率より低いエラー率で伝送可能なロバストデータ処理される形態で具現できる。
【発明の効果】
【００４０】
以上述べたように、本デジタル放送送信システム及びその信号処理方法によれば、アメリカ向け地上波ＤＴＶシステムであるＡＴＳＣ  ＶＳＢ  ＤＴＶ方式の受信性能をアップするためにノーマルストリームとターボストリームを含むデュアル伝送ストリーム内のターボストリームに対してターボ処理を通じて受信性能アップを図ることができる。特に、本デジタル放送送信信号処理方法によれば、従来のノーマルストリーム伝送システムと互換性を有しながらも、多様な受信状態における受信性能を簡単な構造のシステムで改善可能になる。
【発明を実施するための最良の形態】
【００４１】
以下、添付した図面に基づき本発明を詳述する。
【００４２】
図３は本発明の一実施例によるデジタル放送送信システムの構成を示すブロック図である。図３によれば、本デジタル放送送信システムはＲＳエンコーダ(Reed  Solomon  encoder)１１０、インターリーバ(intereaver)１２０、ターボ処理部(turbo  processor)１３０を含む。
【００４３】
ＲＳエンコーダ１１０はノーマルストリームとターボストリームがマルチプレクシングされたデュアル伝送ストリームを受信してエンコーディングする。
【００４４】
インターリーバ１２０はエンコーディングされたデュアル伝送ストリームをインターリービングする役割を果たす。
【００４５】
ターボ処理部１３０はデュアル伝送ストリームのうちターボストリームに対してロバストに処理してターボ処理を行う。ターボ処理とはインターリービングされたデュアル伝送ストリームに含まれたターボストリームだけを検出してコンボルーションエンコーディング及びインターリービング処理を用いてエンコーディングを行うことによって、データを一層ロバストにさせた後、エンコーディングされたターボストリームをデュアル伝送ストリームにスタッフィング(stuffing)する処理を意味する。ターボ処理は劣悪なチャネル、特にドッフラフェージングチャネルにおけるターボストリームに対する向上した受信性能を提供し、デュアル伝送ストリームのノーマルストリームをエラーなしに伝送できない劣悪なチャネルでデュアル伝送ストリームのターボストリームをエラーなしに伝送可能になる。ターボ処理過程を通じてターボストリーム及びノーマルストリームを全て備えたデュアル伝送ストリームを生成できるようになる。一方、ターボ処理部１３０はＲＳエンコーダ１１０のエンコーディング以後にターボストリームに対して別にエンコーディングを行うので、エンコーディングされたターボストリームがデュアル伝送ストリームに満たされることによってデュアル伝送ストリーム内のパリティエラーが生成される時、ＲＳエンコーダ１１０で生成されたデュアル伝送ストリームのパリティは変わるようになる。これにより、ターボ処理部１３０はエンコーディングされたターボストリームがデュアル伝送ストリームにスタッフィングされた以降に、デュアル伝送ストリーム自体のパリティを補償する作業を行う。具体的には再構成されたデュアル伝送ストリームに対するパリティを生成して挿入することによって、パリティエラーを補償する。
【００４６】
図４は図３に示された構成を含む本発明のデジタル放送送信システムの例によるブロック図である。図４によれば、本デジタル放送送信システムは図３に示したＲＳエンコーダ１１０、インターリーバ１２０、ターボ処理部１３０のほか、トレリスエンコーダ１４０、マルチプレクサ１５０、パイロット挿入部１６０、事前等化部１７０、ＶＳＢ変調部１８０、ＲＦ変調部１９０、ランダム化部２００、伝送ストリーム構成部３００をさらに含める。
【００４７】
まず、伝送ストリーム構成部３００はソースからノーマルストリーム及びターボストリームを受信してマルチプレクシングすることによってデュアル伝送ストリームを生成する役割を果たす。ノーマルストリーム、ターボストリームは放送撮影装置などのような外部モジュール(external  module)や、圧縮処理モジュール(例えばＭＰＥＧ２モジュール)、ビデオエンコーダ、オーディオエンコーダなどのような多様な内部モジュール(internal  module)から受信できる。伝送ストリーム構成部３００の構成については詳しく後述する。
【００４８】
ランダム化部２００はデュアル伝送ストリームをランダム化してＲＳエンコーダ１１０へ提供する役割を果たす。これにより、ＲＳエンコーダ１１０はデュアル伝送ストリームを エンコーディングし、インターリーバ１２０はエンコーディングされたデュアル伝送ストリームをインターリービングする。ターボ処理部１３０はインターリービングされたデュアル伝送ストリームに対してターボ処理及びターボ処理によるパリティエラー補償作業を行う。
【００４９】
トレリスエンコーダ１４０はターボ処理部１３０でターボ処理されたデュアル伝送ストリームをトレリスエンコーディングする。
【００５０】
マルチプレクサ(multiplexer)１５０はトレリスエンコーディングされたデュアル伝送ストリームとセグメント同期信号及びフィールド同期信号をマルチプレクシングする。
【００５１】
パイロット挿入部１６０は同期信号を有するマルチプレクシングされたデュアル伝送ストリームに所定のＤＣ値を付加してパイロットを挿入する。
【００５２】
事前等化部(pre-equalizer)１７０は同期信号及びパイロットを有するデュアル伝送ストリームを等化して、シンボル間干渉を最小化させる。
【００５３】
ＶＳＢ変調部１８０は等化されたデュアル伝送ストリームをＶＳＢ変調する。
【００５４】
ＲＦ変調部１９０はＶＳＢ変調されたデュアル伝送ストリームを伝送するＲＦチャネル帯域の信号を得るためにＶＳＢ変調されたデュアル伝送ストリームを変調する。図４においてマルチプレクサ１５０ないしＲＦ変調部１９０部分はデュアル伝送ストリームの送信作業に関与する構成要素なので、本明細書では送信部と命名する。図４において送信部を形成するマルチプレクサ１５０ないしＲＦ変調部１９０のうち少なくとも一つ以上は省略されても良く、送信に必要な追加構成要素がさらに追加されても良い。
【００５５】
図５は本発明の一実施例による図３及び図４のターボ処理部１３０の一例を示すブロック図である。図５によれば、本ターボ処理部１３０はターボストリーム検出部１３１、アウターエンコーダ１３２、アウターインターリーバ１３３、ターボストリームスタッファー１３４、パリティ補償部１３５とを含む。
【００５６】
ターボストリーム検出部１３１はデュアル伝送ストリームからターボストリームを検出する役割を果たす。具体的にはターボストリーム検出部１３１はデマルチプレクサ(demultiplexer)または他の適当な装置で具現できる。
【００５７】
アウターエンコーダ１３２は検出されたターボストリームに設けられたパリティ挿入領域にパリティを付加して、ターボストリームをエンコーディングする役割を果たす。
【００５８】
アウターインターリーバ１３３はエンコーディングされたターボストリームをインターリービングする役割を果たす。
【００５９】
ターボストリームスタッファー１３４はインターリービングされたターボストリームとノーマルストリームをマルチプレクシングしてデュアル伝送ストリームを再構成する役割を果たす。具体的にはターボストリームスタッファー１３４はターボストリーム検出部１３１で検出されたターボストリームの同じ位置にインターリービングされたターボストリームをスタッフィングしてデュアル伝送ストリームを再構成する。ターボストリームスタッファー１３４はマルチプレクサまたは他の適当な装置で具現できる。
【００６０】
パリティ補償部１３５は再構成されたデュアル伝送ストリームのパリティを生成して、再構成されたデュアル伝送ストリームに付加することによって、ターボストリームエンコーディングによるパリティエラーを補償する役割を果たす。
【００６１】
図６は本発明の例による図３及び図４のターボ処理部１３０の他の例を示すブロック図である。図６によれば、ターボ処理部１３０はターボストリーム検出部１３１、アウターエンコーダ１３２、アウターインターリーバ１３３、ターボストリームスタッファー１３４、パリティ補償部１３５のほか、バイト−シンボル変換部１３６、シンボル−バイト変換部１３７をさらに含む。
【００６２】
バイト-シンボル変換部１３１はインターリーバ１２０でインターリービングされたデュアル伝送ストリームを１２-wayシンボルインターリービング処理を用いてバイト単位からシンボル単位に変換する。バイト単位からシンボル単位への変換は‘ATSC標準A/53E’Annex  Dの5.4.1.4セクション表D5.2を参照すれば容易に分かるところ、ここでは詳述しない。しかし、便宜のため表D5.2を記載する。
【００６３】
【表１】
2009524942.tif 000003
ターボストリーム検出部１３１はシンボルに変換されたデュアル伝送ストリームの中からターボストリームを検出する。ターボストリーム検出部１３１はデマルチプレクサまたは他の適当な装置で具現できる。
【００６４】
アウターエンコーダ１３２は検出されたターボストリームに対するパリティを生成して、検出されたターボストリーム内に供給されるパリティ挿入領域に挿入することによって、ターボストリームをエンコーディングする。アウターエンコーダ１３２はターボストリームの各バイト単位でエンコーディングする。
【００６５】
アウターインターリーバ１３３はエンコーディングされたターボストリームをインターリービングする。この場合、アウターインターリーバ１３３はビット単位でインターリービングする。
【００６６】
ターボストリームスタッファー１３４はインターリービングされたターボストリームとノーマルストリームをマルチプレクシングしてデュアル伝送ストリームを再構成する。具体的にはターボストリーム検出部１３１によって検出された既に同一な位置にインターリービングされたターボストリームをデュアル伝送ストリームにスタッフィングして、デュアル伝送ストリームを再構成する。ターボストリームスタッファー１３４はマルチプレクサまたは他の適当な装置で具現できる。
【００６７】
シンボル-バイト変換部１３７はデュアル伝送ストリームをバイト-シンボル変換部１３１で行われる１２-wayシンボルインターリービング処理に逆過程である１２-wayシンボルデインターリービング処理を用いてシンボル単位からバイト単位に変換する。シンボル単位からバイト単位への変換は‘アメリカATSC  DTV標準(A/53)’の表D5.2を参照すれば容易に分かるところ、ここでは詳述しない。
【００６８】
図７は本発明に係る図５及び図６のアウターインターリーバ１３３のインターリービング過程を説明するための模式図である。図７によれば、アウターインターリーバ１３３は所定のインターリービングルールによってアウターエンコーダ１３２からエンコーディングされたターボストリーム出力のビットをインターリービングする。例えば、インターリービングルールが｛２，１，３、０｝の状態でアウターインターリーバ１３３にエンコーディングされたターボストリームであるビットＡＢＣＤが順次に入力されれば、アウターインターリーバ１３３はビットＡＢＣＤをインターリービングし、ＤＢＡＣ形態にインターリービングして出力する。しかし、このような｛２，１，３，０｝インターリービングルールに本願が限定されることではなく、これはインターリービングルールの一例に過ぎず、他の適当なインターリービングルールが使用可能である。
【００６９】
図８は本デジタル放送送信システムにおいて送信するデュアル伝送ストリーム構成の一例を示す模式図である。図８によれば、デュアル伝送ストリームは複数の連続するパケットで構成される。一つのパケットは１８８バイトで構成できる。具体的に、一つのパケットは同期信号(SYNC)１バイトとＰＩＤ(Packet  Identity)３バイト、データ領域１８４バイトで構成される。図８によれば、デュアル伝送ストリームのうち所定パケットについてだけロバストストリーム、すなわちターボストリームが配置される。具体的には、図８はデュアル伝送ストリーム１フィールド(Field)の３１２パケット内にターボストリーム７８パケットを挿入した形態を示す。この場合、デュアル伝送ストリームは、ターボストリーム及びノーマルストリームパケットが１：３比率で４パケットずつ繰り返して構成される。すなわち、ターボストリーム１パケット(１８８バイト)とノーマルストリーム３パケット(１８８バイト)が順次に連結される。一方、デュアル伝送ストリームの構成は本発明の多様な実施例によって変形可能である。例えば、ターボストリームパケットは２、６、１０番目などのフィールド内に提供可能であり、図８に示されたようにフィールド内パケットまたは他の適当な位置である１、５、９番目などのフィールド内パケットの位置になりうる。また、ターボストリームパケットは全４パケットのうち２つが提供可能であり、４パケット毎に３つまたは４つ(例えば全パケット内に)のパケットが提供できる。
【００７０】
図９は本発明の一実施例によるデジタル放送送信信号処理方法を説明するためのフローチャートである。図９によれば、まずノーマルストリームとターボストリームがマルチプレクシングされたデュアル伝送ストリームを受信してエンコーディングする(Ｓ３１０)。
【００７１】
それから、エンコーディングされたデュアル伝送ストリームをインターリービングした後(Ｓ３２０)、ターボ処理する(Ｓ３３０)。ターボ処理とはインターリービングされたデュアル伝送ストリームに含まれたターボストリームだけを検出してコンボルーションエンコーディングまたはインターリービング処理を用いることによって、データをロバストにさせた後、エンコーディングされたターボストリームをデュアル伝送ストリームにスタッフィングする処理を意味する。ターボ処理は劣悪なチャネル、特にドッフラフェージングチャネルにおけるターボストリームに対するアップした受信性能を提供し、デュアル伝送ストリームのノーマルストリームをエラーなしに伝送できない劣悪なチャネルでデュアル伝送ストリームのターボストリームをエラーなしに伝送可能にする。ターボ処理過程を通じて、ターボストリーム及びノーマルストリームを全て具備したデュアル伝送ストリームを生成できるようになる。
【００７２】
図１０は本発明の実施例によるデジタル放送送信信号処理方法の図９のターボ処理作業(Ｓ３３０)の一例を説明するためのフローチャートである。図１０によるに、デュアル伝送ストリームからターボストリームだけを検出して(Ｓ３３１)、検出されたターボストリーム内の提供されたパリティ挿入領域内の検出されたターボストリームに対するパリティを生成及び挿入して検出されたターボストリームをエンコーディングする(Ｓ３３２)。この場合、ターボストリームを検出する前、デュアル伝送ストリームを図６と関連して前述した‘ATSC標準A/53E’の表D5.2に従って１２-wayシンボルインターリービング処理を用いてバイト単位からシンボル単位に変換する過程を行うこともできる。
【００７３】
それから、エンコーディングされたターボストリームをインターリービングした後(Ｓ３３３)、再構成されたデュアル伝送ストリームを得るためにデュアル伝送ストリームにターボストリームをスタッフィングする(Ｓ３３４)。ターボストリーム変更によって再構成されたデュアル伝送内のパリティエラーが生成され、このようなパリティエラーを補償する(Ｓ３３５)。すなわち、検出されたターボストリームに対するエンコーディング(Ｓ３３２)によってパリティが挿入されるので、再構成されたデュアル伝送ストリームのパリティはターボ処理が行われた前のパリティに比べて異なるようになる。従って、再構成されたデュアル伝送ストリームに対する他のパリティ、例えばパリティエラーを生成して挿入することによってパリティを補償する。一方、前述したようにターボストリーム検出前にデュアル伝送ストリームのバイト-シンボル変換が行われた場合、パリティが補償されたデュアル伝送ストリームを図６と関連して前述した'ATSC標準A/53E'の表D5.2に従って１２-wayシンボルインターリービング処理に逆過程である１２-wayシンボルデインターリービング処理を用いて、シンボル単位からバイト単位に変換する過程も行われる。
【００７４】
図１１は図９に示された部分を含む本発明の実施例によるデジタル放送送信信号処理方法を説明するためのフローチャートである。図１１によるに、まずノーマルストリーム及びターボストリームを備えたデュアル伝送ストリームを生成する(Ｓ５１０)。ノーマルストリーム, ターボストリームは放送撮影装置などのような外部モジュールや、圧縮処理モジュール(例えば、ＭＰＥＧ２モジュール)、ビデオエンコーダ、オーディオエンコーダなどのような多様な内部モジュールから受信されうる。これにより、提供されたターボストリームについてはターボストリームのエンコーディング中にパリティを挿入するためのパリティ挿入領域を設けた後、ノーマルストリームとマルチプレクシングすることによってデュアル伝送ストリームを生成する。
【００７５】
生成されたデュアル伝送ストリームをランダム化する(Ｓ５２０)。それからランダム化されたデュアル伝送ストリームを エンコーディングした後(Ｓ５３０、図９のＳ３１０に対応する)、インターリービングする(Ｓ５４０、図９のＳ５４０に対応する)。ランダム化、エンコーディング、インターリービング作業はランダム化器、ＲＳエンコーダ、インターリーバなどを介して順次に行うことができる。
【００７６】
デュアル伝送ストリームのうちターボストリームだけをロバストに処理するターボ処理作業を行う(Ｓ５５０、図９のＳ３３０に対応する)。具体的には、デュアル伝送ストリームターボストリームだけを検出し、ターボストリームに対するパリティを生成してターボストリーム内に設けられたパリティ挿入領域にパリティを挿入することによって、ターボストリームをエンコーディングする。それからエンコーディングされたターボストリームをインターリービングした後、再びデュアル伝送ストリームにスタッフィングしてデュアル伝送ストリームを再構成する。それから、ターボストリーム内のパリティ挿入によるパリティ誤差を補償してくれる。
【００７７】
ターボ処理が完了した後、デュアル伝送ストリームをトレリスエンコーディングしてから(Ｓ５６０)、トレリスエンコーディングされたデュアル伝送ストリームとセグメント同期信号及びフィールド同期信号がマルチプレクシングされる(Ｓ５７０)。このような処理はトレリスエンコーダ及びマルチプレクサを用いて行える。
【００７８】
それから、同期信号とマルチプレクシングされたデュアル伝送ストリームを変調した後送信する(Ｓ５８０)。具体的には、同期信号とマルチプレクシングされたデュアル伝送ストリームに所定のＤＣ値を付加してパイロットを挿入した後、同期及びパイロットを有するデュアル伝送ストリームを等化して、シンボル間の干渉を最小化させる。それから、等化されたデュアル伝送ストリームをＶＳＢ変調した後、ＶＳＢ変調された伝送ストリームを伝送するＲＦチャネル帯域の信号を得るためにＶＳＢ変調された伝送ストリームは変調される。このような処理は等化器、ＶＳＢ変調器及びＲＦ変調器を使って行える。
【００７９】
以上では本発明の望ましい実施例について示しかつ説明したが、本発明は前述した特定の実施例に限らず、請求の範囲で請求する本発明の要旨を逸脱しない範囲で当該発明の属する技術分野における通常の知識を有する者にとって多様な変形実施が可能であることは勿論、このような変形実施は本発明の技術的思想や展望から個別的に理解されてはいけない。
【図面の簡単な説明】
【００８０】
【図１】従来のデジタル放送送信器及びデジタル放送受信器を含むＡＴＳＣ  ＶＳＢ  ＤＴＶデジタル放送システムの例を示すブロック図である。
【図２】従来のＡＴＳＣ  ＶＳＢ  ＤＴＶデータフレームを示す図である。
【図３】本発明の一実施例によるデジタル放送送信システムの構成を示すブロック図である。
【図４】図３のデジタル放送送信システムの構成をさらに具体的に示すブロック図である。
【図５】図３及び図４のターボ処理部１３０の一例を示すブロック図である。
【図６】図３及び図４のターボ処理部１３０の他の例を示すブロック図である。
【図７】図５及び図６のアウターインターリーバ１３３におけるインターリービングの一例を説明するための模式図である。
【図８】本デジタル放送送信システムによって送信されるデュアル伝送ストリーム構成の一例を示す模式図である。
【図９】本発明の一実施例によるデジタル放送送信信号処理方法を説明するためのフローチャートである。
【図１０】本発明の実施例によるデジタル放送送信信号処理方法の図９のターボ処理過程(Ｓ３３０)の例を説明するためのフローチャートである。
【図１１】図９に示した部分を含む本発明の実施例によるデジタル放送送信信号処理方法の例を説明するためのフローチャートである。
【符号の説明】
【００８１】
１１０  ＲＳエンコーダ
１２０  インターリーバ
１３０  ターボ処理部
１４０  トレリスエンコーダ
１５０  マルチプレクサ
１６０  パイロット挿入部
１７０  事前等化部
１８０  ＶＳＢ変調部
１９０  ＲＦ変調部
２００  ランダム化部
３００  伝送ストリーム構成部
【図１】
2009524942.tif 000004
【図２】
2009524942.tif 000005
【図３】
2009524942.tif 000006
【図４】
2009524942.tif 000007
【図５】
2009524942.tif 000008
【図６】
2009524942.tif 000009
【図７】
2009524942.tif 000010
【図８】
2009524942.tif 000011
【図９】
2009524942.tif 000012
【図１０】
2009524942.tif 000013
【図１１】
2009524942.tif 000014
【国際調査報告】
2009524942.tif 000015
2009524942.tif 000016